(57)【要約】      （修正有）【課題】無限遠物体から近距離物体へのフォーカシング時の収差変動を抑え、優れた画像品質を提供する。【解決手段】負正負正の４群構成であり、変倍に際し少なくとも第２レンズ群Ｇ２ないし第４レンズ群Ｇ４が光軸方向に移動し、第１レンズ群Ｇ１は、物体側から順に、負単レンズからなる第１ａレンズ群Ｇ１ａと、負単レンズと正単レンズからなる第１ｂレンズ群Ｇ１ｂとから構成されており、次の条件式（１）及び（２）を満足する変倍レンズ系。（１）０．６５＜ｆ１ａ／ｆ１ｂ＜０．７８、（２）２．１＜（ＲＦ＋ＲＲ）／（ＲＦ−ＲＲ）＜３．６、ｆ１ａ：第１ａレンズ群の焦点距離、ｆ１ｂ：第１ｂレンズ群の焦点距離、ＲＦ：第１ａレンズ群をなす負単レンズの物体側の面の近軸曲率半径、ＲＲ：第１ａレンズ群をなす負単レンズの像側の面の近軸曲率半径。【選択図】図１
2016006455.tif 000002
【特許請求の範囲】
【請求項１】
物体側から順に、負の屈折力の第１レンズ群と、正の屈折力の第２レンズ群と、負の屈折力の第３レンズ群と、正の屈折力の第４レンズ群とから構成され、短焦点距離端から長焦点距離端への変倍に際し、少なくとも第２レンズ群ないし第４レンズ群が光軸方向に移動する変倍レンズ系において、
第１レンズ群は、物体側から順に、負単レンズからなる第１ａレンズ群と、負単レンズと正単レンズからなる第１ｂレンズ群とから構成されており、
次の条件式（１）及び（２）を満足することを特徴とする変倍レンズ系。
（１）０．６５＜ｆ１ａ／ｆ１ｂ＜０．７８
（２）２．１＜（ＲＦ＋ＲＲ）／（ＲＦ−ＲＲ）＜３．６
但し、
ｆ１ａ：第１ａレンズ群の焦点距離、
ｆ１ｂ：第１ｂレンズ群の焦点距離、
ＲＦ：第１ａレンズ群をなす負単レンズの物体側の面の近軸曲率半径、
ＲＲ：第１ａレンズ群をなす負単レンズの像側の面の近軸曲率半径。
【請求項２】
請求項１記載の変倍レンズ系において、次の条件式（３）を満足する変倍レンズ系。
（３）ν１ｂｎ−ν１ｂｐ＞３０
但し、
ν１ｂｎ：第１ｂレンズ群中の負単レンズのｄ線に対するアッベ数、
ν１ｂｐ：第１ｂレンズ群中の正単レンズのｄ線に対するアッベ数。
【請求項３】
請求項１または２記載の変倍レンズ系において、次の条件式（４）を満足する変倍レンズ系。
（４）ν１ｂｎ＞５５
但し、
ν１ｂｎ：第１ｂレンズ群中の負単レンズのｄ線に対するアッベ数。
【請求項４】
請求項１ないし３のいずれか１項記載の変倍レンズ系において、次の条件式（５）を満足する変倍レンズ系。
（５）−３．２＜ｆ１ｂｐ／ｆ１＜−２．７
但し、
ｆ１ｂｐ：第１ｂレンズ群中の正単レンズの焦点距離、
ｆ１：第１レンズ群の焦点距離。
【請求項５】
請求項１ないし４のいずれか１項記載の変倍レンズ系において、次の条件式（６）を満足する変倍レンズ系。
（６）−０．５５＜Ｄａｂ／ｆ１＜−０．４５
但し、
Ｄａｂ：第１ａレンズ群の最も像側の面と第１ｂレンズ群の最も物体側の面との間の光軸上の距離、
ｆ１：第１レンズ群の焦点距離。
【請求項６】
請求項１ないし５のいずれか１項記載の変倍レンズ系において、次の条件式（７）を満足する変倍レンズ系。
（７）０．５０＜ｆ１／ｆ３＜０．８５
但し、
ｆ１：第１レンズ群の焦点距離、
ｆ３：第３レンズ群の焦点距離。
【請求項７】
請求項１ないし６のいずれか１項記載の変倍レンズ系において、次の条件式（８）を満足する変倍レンズ系。
（８）０．６０＜ｆ２／ｆ４＜０．７５
但し、
ｆ２：第２レンズ群の焦点距離、
ｆ４：第４レンズ群の焦点距離。
【請求項８】
請求項１ないし７のいずれか１項記載の変倍レンズ系において、第１ｂレンズ群中の負単レンズは、ガラスレンズの像側の面に合成樹脂材料による非球面層が接着形成されたハイブリッドレンズからなる変倍レンズ系。
【請求項９】
請求項１ないし８のいずれか１項記載の変倍レンズ系において、第２レンズ群と第４レンズ群は、短焦点距離端から長焦点距離端への変倍に際し、同一の移動軌跡で単調に物体側に移動する変倍レンズ系。
【発明の詳細な説明】
【技術分野】
【０００１】
本発明は、例えば、デジタルカメラ、ビデオカメラ、ＴＶカメラ、監視用カメラ、銀塩フィルム用カメラ等の撮像装置に搭載して好適であり、特に、レンズ交換式カメラに搭載して好適な広角域を含む変倍レンズ系に関する。
【背景技術】
【０００２】
従来、標準域から広角域の焦点距離を持つ変倍レンズ系として、負レンズ先行型（ネガティブリード型）の変倍レンズ系が知られている。一般的に、負レンズ先行型の変倍レンズ系は、広角化が比較的容易であり、コンパクト性を保ちながら高変倍化が可能であり、バックフォーカスを確保しやすいという利点がある。
【０００３】
レンズ交換式カメラに搭載される負レンズ先行型の変倍レンズ系として、負正負正の４群構成の変倍レンズ系が多く用いられている。このタイプの変倍レンズ系は、レンズ構成が非対称となるため、諸収差の補正が難しくなる傾向がある。
【０００４】
特許文献１、２には、負正負正の４群構成の変倍レンズ系において、負の第１レンズ群の全体をフォーカスレンズ群としてこれを物体側に移動させる（繰り出す）ことでフォーカシングを行うことが記載されている。しかし、重量の大きい第１レンズ群の全体を移動させるため、フォーカシング速度が低下し、フォーカシング時の静粛性が損なわれてしまう。トルクの大きいフォーカシングモータを用いることも可能であるが、フォーカシング機構を含むレンズ全系の大型化や高コスト化に繋がってしまう。また、主に長焦点距離端において、無限遠物体から近距離物体へのフォーカシング時の収差変動が大きすぎて、特に球面収差が大きくアンダーになる結果、これが撮影時にフレア光として画像品質を劣化させる要因となってしまう。
【０００５】
特許文献３には、負正負正の４群構成の変倍レンズ系において、負の第１レンズ群の一部をフォーカスレンズ群としてこれを物体側に移動させる（繰り出す）ことでフォーカシングを行うことが記載されている。しかし、主に短焦点距離端において、周辺の収差補正が不十分であり、特に像面湾曲や非点収差が大きく残る結果、画像品質が劣化してしまう。
【先行技術文献】
【特許文献】
【０００６】
【特許文献１】特許第５１５７２９５号公報
【特許文献２】特許第５０８２４３１号公報
【特許文献３】特開２００９−１４７６６号公報
【発明の概要】
【発明が解決しようとする課題】
【０００７】
本発明は、以上の問題意識に基づいてなされたものであり、主に短焦点距離端において諸収差を良好に補正するとともに、無限遠物体から近距離物体へのフォーカシング時の収差変動を抑えることで、優れた画像品質を達成することができる変倍レンズ系を得ることを目的とする。
【課題を解決するための手段】
【０００８】
本発明の変倍レンズ系は、物体側から順に、負の屈折力の第１レンズ群と、正の屈折力の第２レンズ群と、負の屈折力の第３レンズ群と、正の屈折力の第４レンズ群とから構成され、短焦点距離端から長焦点距離端への変倍に際し、少なくとも第２レンズ群ないし第４レンズ群が光軸方向に移動する変倍レンズ系において、第１レンズ群は、物体側から順に、負単レンズからなる第１ａレンズ群と、負単レンズと正単レンズからなる第１ｂレンズ群とから構成されており、次の条件式（１）及び（２）を満足することを特徴としている。
（１）０．６５＜ｆ１ａ／ｆ１ｂ＜０．７８
（２）２．１＜（ＲＦ＋ＲＲ）／（ＲＦ−ＲＲ）＜３．６
但し、
ｆ１ａ：第１ａレンズ群の焦点距離、
ｆ１ｂ：第１ｂレンズ群の焦点距離、
ＲＦ：第１ａレンズ群をなす負単レンズの物体側の面の近軸曲率半径、
ＲＲ：第１ａレンズ群をなす負単レンズの像側の面の近軸曲率半径、
である。
【０００９】
条件式（１）が規定する条件範囲の中でも、次の条件式（１’）を満足することが好ましい。
（１’）０．６８＜ｆ１ａ／ｆ１ｂ＜０．７５
【００１０】
条件式（２）が規定する条件範囲の中でも、次の条件式（２’）を満足することが好ましい。
（２’）２．３＜（ＲＦ＋ＲＲ）／（ＲＦ−ＲＲ）＜３．４
【００１１】
本発明の変倍レンズ系は、次の条件式（３）を満足することが好ましい。
（３）ν１ｂｎ−ν１ｂｐ＞３０
但し、
ν１ｂｎ：第１ｂレンズ群中の負単レンズのｄ線に対するアッベ数、
ν１ｂｐ：第１ｂレンズ群中の正単レンズのｄ線に対するアッベ数、
である。
【００１２】
条件式（３）が規定する条件範囲の中でも、次の条件式（３’）を満足することが好ましい。
（３’）ν１ｂｎ−ν１ｂｐ＞３９
【００１３】
本発明の変倍レンズ系は、次の条件式（４）を満足することが好ましい。
（４）ν１ｂｎ＞５５
但し、
ν１ｂｎ：第１ｂレンズ群中の負単レンズのｄ線に対するアッベ数、
である。
【００１４】
条件式（４）が規定する条件範囲の中でも、次の条件式（４’）を満足することが好ましい。
（４’）ν１ｂｎ＞６３
【００１５】
本発明の変倍レンズ系は、次の条件式（５）を満足することが好ましい。
（５）−３．２＜ｆ１ｂｐ／ｆ１＜−２．７
但し、
ｆ１ｂｐ：第１ｂレンズ群中の正単レンズの焦点距離、
ｆ１：第１レンズ群の焦点距離、
である。
【００１６】
条件式（５）が規定する条件範囲の中でも、次の条件式（５’）を満足することが好ましい。
（５’）−３．１＜ｆ１ｂｐ／ｆ１＜−２．８
【００１７】
本発明の変倍レンズ系は、次の条件式（６）を満足することが好ましい。
（６）−０．５５＜Ｄａｂ／ｆ１＜−０．４５
但し、
Ｄａｂ：第１ａレンズ群の最も像側の面と第１ｂレンズ群の最も物体側の面との間の光軸上の距離（第１ａレンズ群と第１ｂレンズ群の空気間隔）、
ｆ１：第１レンズ群の焦点距離、
である。
【００１８】
本発明の変倍レンズ系は、次の条件式（７）を満足することが好ましい。
（７）０．５０＜ｆ１／ｆ３＜０．８５
但し、
ｆ１：第１レンズ群の焦点距離、
ｆ３：第３レンズ群の焦点距離、
である。
【００１９】
本発明の変倍レンズ系は、次の条件式（８）を満足することが好ましい。
（８）０．６０＜ｆ２／ｆ４＜０．７５
但し、
ｆ２：第２レンズ群の焦点距離、
ｆ４：第４レンズ群の焦点距離、
である。
【００２０】
条件式（８）が規定する条件範囲の中でも、次の条件式（８’）を満足することが好ましい。
（８’）０．６５＜ｆ２／ｆ４＜０．７５
【００２１】
第１ｂレンズ群中の負単レンズは、ガラスレンズの像側の面に合成樹脂材料による非球面層が接着形成されたハイブリッドレンズから構成することができる。
【００２２】
第２レンズ群と第４レンズ群は、短焦点距離端から長焦点距離端への変倍に際し、同一の移動軌跡で単調に物体側に移動することができる。これにより、メカ機構を簡素化するとともに、レンズ枠のガタツキを抑えることができる。
【発明の効果】
【００２３】
本発明によれば、主に短焦点距離端において諸収差を良好に補正するとともに、無限遠物体から近距離物体へのフォーカシング時の収差変動を抑えることで、優れた画像品質を達成することができる変倍レンズ系が得られる。
【図面の簡単な説明】
【００２４】
【図１】本発明による変倍レンズ系の数値実施例１の短焦点距離端における無限遠物体合焦時のレンズ構成図である。
【図２】図１のように構成された変倍レンズ系の短焦点距離端における無限遠物体合焦時の諸収差図である。
【図３】図１のように構成された変倍レンズ系の短焦点距離端における無限遠物体合焦時の横収差図である。
【図４】図１のように構成された変倍レンズ系の長焦点距離端における無限遠物体合焦時の諸収差図である。
【図５】図１のように構成された変倍レンズ系の長焦点距離端における無限遠物体合焦時の横収差図である。
【図６】図１のように構成された変倍レンズ系の短焦点距離端における近距離物体合焦時の諸収差図である。
【図７】図１のように構成された変倍レンズ系の短焦点距離端における近距離物体合焦時の横収差図である。
【図８】図１のように構成された変倍レンズ系の長焦点距離端における近距離物体合焦時の諸収差図である。
【図９】図１のように構成された変倍レンズ系の長焦点距離端における近距離物体合焦時の横収差図である。
【図１０】本発明による変倍レンズ系の数値実施例２の短焦点距離端における無限遠物体合焦時のレンズ構成図である。
【図１１】図１０のように構成された変倍レンズ系の短焦点距離端における無限遠物体合焦時の諸収差図である。
【図１２】図１０のように構成された変倍レンズ系の短焦点距離端における無限遠物体合焦時の横収差図である。
【図１３】図１０のように構成された変倍レンズ系の長焦点距離端における無限遠物体合焦時の諸収差図である。
【図１４】図１０のように構成された変倍レンズ系の長焦点距離端における無限遠物体合焦時の横収差図である。
【図１５】図１０のように構成された変倍レンズ系の短焦点距離端における近距離物体合焦時の諸収差図である。
【図１６】図１０のように構成された変倍レンズ系の短焦点距離端における近距離物体合焦時の横収差図である。
【図１７】図１０のように構成された変倍レンズ系の長焦点距離端における近距離物体合焦時の諸収差図である。
【図１８】図１０のように構成された変倍レンズ系の長焦点距離端における近距離物体合焦時の横収差図である。
【図１９】本発明による変倍レンズ系の数値実施例３の短焦点距離端における無限遠物体合焦時のレンズ構成図である。
【図２０】図１９のように構成された変倍レンズ系の短焦点距離端における無限遠物体合焦時の諸収差図である。
【図２１】図１９のように構成された変倍レンズ系の短焦点距離端における無限遠物体合焦時の横収差図である。
【図２２】図１９のように構成された変倍レンズ系の長焦点距離端における無限遠物体合焦時の諸収差図である。
【図２３】図１９のように構成された変倍レンズ系の長焦点距離端における無限遠物体合焦時の横収差図である。
【図２４】図１９のように構成された変倍レンズ系の短焦点距離端における近距離物体合焦時の諸収差図である。
【図２５】図１９のように構成された変倍レンズ系の短焦点距離端における近距離物体合焦時の横収差図である。
【図２６】図１９のように構成された変倍レンズ系の長焦点距離端における近距離物体合焦時の諸収差図である。
【図２７】図１９のように構成された変倍レンズ系の長焦点距離端における近距離物体合焦時の横収差図である。
【図２８】本発明による変倍レンズ系の数値実施例４の短焦点距離端における無限遠物体合焦時のレンズ構成図である。
【図２９】図２８のように構成された変倍レンズ系の短焦点距離端における無限遠物体合焦時の諸収差図である。
【図３０】図２８のように構成された変倍レンズ系の短焦点距離端における無限遠物体合焦時の横収差図である。
【図３１】図２８のように構成された変倍レンズ系の長焦点距離端における無限遠物体合焦時の諸収差図である。
【図３２】図２８のように構成された変倍レンズ系の長焦点距離端における無限遠物体合焦時の横収差図である。
【図３３】図２８のように構成された変倍レンズ系の短焦点距離端における近距離物体合焦時の諸収差図である。
【図３４】図２８のように構成された変倍レンズ系の短焦点距離端における近距離物体合焦時の横収差図である。
【図３５】図２８のように構成された変倍レンズ系の長焦点距離端における近距離物体合焦時の諸収差図である。
【図３６】図２８のように構成された変倍レンズ系の長焦点距離端における近距離物体合焦時の横収差図である。
【図３７】本発明による変倍レンズ系の数値実施例５の短焦点距離端における無限遠物体合焦時のレンズ構成図である。
【図３８】図３７のように構成された変倍レンズ系の短焦点距離端における無限遠物体合焦時の諸収差図である。
【図３９】図３７のように構成された変倍レンズ系の短焦点距離端における無限遠物体合焦時の横収差図である。
【図４０】図３７のように構成された変倍レンズ系の長焦点距離端における無限遠物体合焦時の諸収差図である。
【図４１】図３７のように構成された変倍レンズ系の長焦点距離端における無限遠物体合焦時の横収差図である。
【図４２】図３７のように構成された変倍レンズ系の短焦点距離端における近距離物体合焦時の諸収差図である。
【図４３】図３７のように構成された変倍レンズ系の短焦点距離端における近距離物体合焦時の横収差図である。
【図４４】図３７のように構成された変倍レンズ系の長焦点距離端における近距離物体合焦時の諸収差図である。
【図４５】図３７のように構成された変倍レンズ系の長焦点距離端における近距離物体合焦時の横収差図である。
【図４６】本発明による変倍レンズ系の移動軌跡を示す簡易移動図である。
【発明を実施するための形態】
【００２５】
本実施形態の変倍レンズ系は、全数値実施例１−５を通じて、図４６の簡易移動図に示すように、物体側から順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成されている。第１レンズ群Ｇ１は、物体側から順に、負の屈折力の第１ａレンズ群Ｇ１ａと、負の屈折力の第１ｂレンズ群Ｇ１ｂとから構成されている。第２レンズ群Ｇ２と第３レンズ群Ｇ３の間（第３レンズ群Ｇ３の直前）には、光量調整用の開口絞りＳが位置しており、この開口絞りＳは、短焦点距離端から長焦点距離端への変倍に際し、第３レンズ群Ｇ３と一体に光軸方向に移動する（第３レンズ群Ｇ３が開口絞りＳを有している）。Ｉは像面である。
【００２６】
本実施形態の変倍レンズ系は、全数値実施例１−５を通じて、図４６の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が減少し、第２レンズ群Ｇ２と第３レンズ群Ｇ３の間隔が増大し、第３レンズ群Ｇ３と第４レンズ群Ｇ４の間隔が減少する。
より具体的に、短焦点距離端から長焦点距離端への変倍に際し、第１レンズ群Ｇ１は、一旦像側に移動した後に物体側に移動（Ｕターン）して結果的に短焦点距離端の位置の近傍（短焦点距離端の位置よりも若干量だけ物体側または像側）に戻り、第２レンズ群Ｇ２ないし第４レンズ群Ｇ４は、単調に物体側に移動する。第２レンズ群Ｇ２と第４レンズ群Ｇ４は、短焦点距離端から長焦点距離端への変倍に際し、同一の移動軌跡で単調に物体側に移動する。これにより、メカ機構を簡素化するとともに、レンズ枠のガタツキを抑えることができる。なお、第１レンズ群Ｇ１は、短焦点距離端から長焦点距離端への変倍に際し、一旦像側に移動した後に物体側に移動（Ｕターン）して結果的に短焦点距離端の位置に戻る態様、つまり短焦点距離端と長焦点距離端の光軸方向の位置を同じにする態様も可能である。また、第２レンズ群Ｇ２と第４レンズ群Ｇ４は、短焦点距離端から長焦点距離端への変倍に際し、別々の移動軌跡で単調に物体側に移動する態様も可能である。
【００２７】
本実施形態の変倍レンズ系は、全数値実施例１−５を通じて、図４６の簡易移動図に示すように、第１ｂレンズ群Ｇ１ｂをフォーカスレンズ群としてこれを物体側に移動させる（繰り出す）ことでフォーカシングを行う（第１ｂレンズ群Ｇ１ｂがフォーカスレンズ群を構成している）。
【００２８】
第１レンズ群Ｇ１の第１ａレンズ群Ｇ１ａは、全数値実施例１−５を通じて、負レンズ（負単レンズ）１１からなる。
【００２９】
第１レンズ群Ｇ１の第１ｂレンズ群Ｇ１ｂは、全数値実施例１−５を通じて、物体側から順に、負レンズ（負単レンズ）１２と、正レンズ（正単レンズ）１３とからなる。負レンズ１２は、ガラスレンズの像側の面に合成樹脂材料による非球面層が接着形成されたハイブリッドレンズからなる。なお、負レンズ１２は、ガラス面に直接的に非球面を形成したガラスモールド非球面レンズから構成することも可能である。
【００３０】
第２レンズ群Ｇ２は、全数値実施例１−５を通じて、物体側から順に、正レンズ２１と、正レンズ２２と、負レンズ２３とからなる。正レンズ２２と負レンズ２３は接合されている。
【００３１】
第３レンズ群Ｇ３は、全数値実施例１−５を通じて、物体側から順に位置する正レンズ３１と負レンズ３２の接合レンズからなる。
【００３２】
第４レンズ群Ｇ４は、全数値実施例１−５を通じて、物体側から順に、正レンズ４１と、正レンズ４２と、負レンズ４３とからなる。正レンズ４２と負レンズ４３は接合されている。
【００３３】
本実施形態の変倍レンズ系は、負正負正の４群レンズ構成を必須としており、コンパクト性を保ちながら広角化と高変倍化を達成し、しかもバックフォーカスを確保しやすいという利点を有している。
【００３４】
本実施形態の変倍レンズ系は、上記利点を生かしつつ、負の屈折力の第１レンズ群Ｇ１を、負の屈折力の第１ａレンズ群Ｇ１ａ（負レンズ１１）と負の屈折力の第１ｂレンズ群Ｇ１ｂ（負レンズ１２と正レンズ１３）とに分割し、第１ｂレンズ群Ｇ１ｂ（負レンズ１２と正レンズ１３）を物体側に移動させる（繰り出す）ことでフォーカシングを行うインナーフォーカス方式を採用している。これにより、フォーカスレンズ群を軽量化することで、高速で静粛なフォーカシングを可能にするとともに、フォーカシング機構を含むレンズ全系の小型化と低コスト化を図ることができる。
【００３５】
ここで、フォーカスレンズ群の軽量化のみを追求するのであれば、フォーカスレンズ群である第１ｂレンズ群Ｇ１ｂを単レンズから構成すればよい。しかし、第１ｂレンズ群Ｇ１ｂを単レンズから構成すると、主に長焦点距離端で大きな球面収差が発生して光学性能が劣化してしまう。そこで、本実施形態の変倍レンズ系は、フォーカスレンズ群である第１ｂレンズ群Ｇ１ｂを負レンズ１２と正レンズ１３の２枚のレンズで構成することにより、フォーカスレンズ群の軽量化と優れた光学性能の両立を図っている。一方、第１ａレンズ群Ｇ１ａは、前玉径の増大を防止するために、１枚の負レンズ１１で構成している。
【００３６】
条件式（１）及び（１’）は、第１レンズ群Ｇ１中の第１ａレンズ群Ｇ１ａと第１ｂレンズ群Ｇ１ｂのパワーバランスを規定している。条件式（１）を満足することで、本実施形態のように第１ｂレンズ群Ｇ１ｂをフォーカスレンズ群としたときに、第１ｂレンズ群Ｇ１ｂ（フォーカスレンズ群）のフォーカシング移動量を抑えて前玉径を小さくし、無限遠物体から近距離物体へのフォーカシング時の球面収差の変動を抑えるとともに、主に短焦点距離端においてディストーションを良好に補正することができる。この作用効果は、条件式（１’）を満足することでより顕著に得ることができる。
条件式（１）の上限を超えると、本実施形態のように第１ｂレンズ群Ｇ１ｂをフォーカスレンズ群としたときに、第１ｂレンズ群Ｇ１ｂのパワーが強くなりすぎて、無限遠物体から近距離物体へのフォーカシング時の球面収差の変動が大きくなってしまう。
条件式（１）の下限を超えると、本実施形態のように第１ｂレンズ群Ｇ１ｂをフォーカスレンズ群としたときに、第１ａレンズ群Ｇ１ａのパワーが強くなりすぎて、主に短焦点距離端において樽型のディストーションが大きく発生してしまう。また、第１ｂレンズ群Ｇ１ｂ（フォーカスレンズ群）のフォーカシング移動量が大きくなりすぎて、前玉径が増大してしまう。
【００３７】
条件式（２）及び（２’）は、第１ａレンズ群Ｇ１ａをなす負レンズ１１の形状（シェーピングファクター）を規定している。第１ａレンズ群Ｇ１ａをなす負レンズ１１は、短焦点距離端側で軸外性能に影響を及ぼし易いため、条件式（２）を満足するようにその形状を最適設定することで、前玉径を小さくするとともに、主に短焦点距離端において、コマ収差、非点収差、歪曲収差を良好に補正することができる。この作用効果は、条件式（２’）を満足することでより顕著に得ることができる。
条件式（２）の上限を超えると、前玉径が増大するとともに、主に短焦点距離端においてコマ収差が補正困難になってしまう。
条件式（２）の下限を超えると、第１ａレンズ群Ｇ１ａをなす負レンズ１１の物体側の面と像側の面の近軸曲率半径の差が大きくなりすぎて、主に短焦点距離端において非点収差や歪曲収差が補正困難になってしまう。
【００３８】
条件式（３）及び（３’）は、第１ｂレンズ群Ｇ１ｂ中の負レンズ１２と正レンズ１３のｄ線に対するアッベ数の差を規定している。条件式（３）を満足することで、倍率色収差、軸上色収差、球面収差、コマ収差を良好に補正することができる。この作用効果は、条件式（３’）を満足することでより顕著に得ることができる。
条件式（３）の下限を超えると、短焦点距離端側では主に倍率色収差が補正不足になり、長焦点距離端側では主に軸上色収差が補正不足になってしまう。また、色収差を補正するために第１ｂレンズ群Ｇ１ｂ中の負レンズ１２と正レンズ１３のパワーを強くすると、球面収差やコマ収差が補正困難になってしまう。
【００３９】
条件式（４）及び（４’）は、第１ｂレンズ群Ｇ１ｂ中の負レンズ１２のｄ線に対するアッベ数を規定している。条件式（４）を満足することで、倍率色収差や軸上色収差を良好に補正することができる。この作用効果は、条件式（４’）を満足することでより顕著に得ることができる。
条件式（４）の下限を超えると、短焦点距離端側では主に倍率色収差が補正不足になり、長焦点距離端側では主に軸上色収差が補正不足になってしまう。
【００４０】
第１ｂレンズ群Ｇ１ｂの負のパワーを強くしていくと、負レンズ１２の負のパワーが強くなるため、色収差やコマ収差が発生しがちである。そのため、本実施形態の変倍レンズ系は、第１ｂレンズ群Ｇ１ｂ中の負レンズ１２を条件式（３）及び（４）を満足するような低分散な材料で構成することで、負レンズ１２と正レンズ１３のパワーを緩めることにより、色収差やコマ収差を効果的に補正することに成功している。
【００４１】
条件式（５）及び（５’）は、第１ｂレンズ群Ｇ１ｂ中の正レンズ１３の焦点距離と、第１レンズ群Ｇ１の焦点距離との比を規定している。条件式（５）を満足することで、コマ収差や球面収差を良好に補正するとともに、無限遠物体から近距離物体へのフォーカシング時の球面収差の変動を抑えることができる。この作用効果は、条件式（５’）を満足することでより顕著に得ることができる。
条件式（５）の上限を超えると、第１ｂレンズ群Ｇ１ｂ中の正レンズ１３のパワーが強くなりすぎて、短焦点距離端側ではコマ収差が補正困難になり、長焦点距離端側では球面収差が補正困難になる。
条件式（５）の下限を超えると、第１ｂレンズ群Ｇ１ｂ中の正レンズ１３のパワーが弱くなりすぎて、無限遠物体から近距離物体へのフォーカシング時の球面収差の変動が大きくなってしまう。
【００４２】
条件式（６）は、第１ａレンズ群Ｇ１ａの最も像側の面と第１ｂレンズ群Ｇ１ｂの最も物体側の面との間の光軸上の距離（第１ａレンズ群Ｇ１ａと第１ｂレンズ群Ｇ１ｂの空気間隔）を、第１レンズ群Ｇ１ａの焦点距離で規格化したものである。条件式（６）を満足することで、本実施形態のように第１ｂレンズ群Ｇ１ｂをフォーカスレンズ群としたときに、第１ｂレンズ群Ｇ１ｂ（フォーカスレンズ群）が移動できるスペースを確保して最短撮影距離を十分に短くするとともに、前玉径を小さくし、主に短焦点距離端において歪曲収差や非点収差を良好に補正することができる。
条件式（６）の上限を超えると、本実施形態のように第１ｂレンズ群Ｇ１ｂをフォーカスレンズ群としたときに、第１ｂレンズ群Ｇ１ｂ（フォーカスレンズ群）が移動できるスペースが狭くなり、最短撮影距離を十分に短くすることができなくなってしまう。
条件式（６）の下限を超えると、第１レンズ群Ｇ１の厚み、ひいてはレンズ全長が増大してしまう。また、前玉径が増大し、主に短焦点距離端において歪曲収差や非点収差が補正困難になってしまう。
【００４３】
条件式（７）は、第１レンズ群Ｇ１と第３レンズ群Ｇ３のパワーバランスを規定している。入射瞳位置を短く（近く）して前玉有効径を小さくするためには、第１レンズ群Ｇ１のレンズ枚数を少なくして第１レンズ群Ｇ１を薄くすることが好ましい。その上で、第３レンズ群Ｇ３のパワーを最適設定することで、第１レンズ群Ｇ１のみならず、第３レンズ群Ｇ３によっても、歪曲収差や像面湾曲を補正することが好ましい。条件式（７）を満足することで、歪曲収差や像面湾曲を良好に補正するとともに、第３レンズ群Ｇ３の変倍移動量を抑えてレンズ全長の短縮化を図ることができる。
条件式（７）の上限を超えると、第３レンズ群Ｇ３のパワーが強くなりすぎて、歪曲収差や像面湾曲が補正困難になってしまう。
条件式（７）の下限を超えると、第３レンズ群Ｇ３のパワーが弱くなりすぎて、第３レンズ群Ｇ３の変倍移動量が大きくなる結果、レンズ全長が増大してしまう。
【００４４】
条件式（８）及び（８’）は、第２レンズ群Ｇ２と第４レンズ群Ｇ４のパワーバランスを規定している。条件式（８）を満足することで、球面収差の変動を抑えてこれを良好に補正することができる。
条件式（８）及び（８’）の上限を超えると、第４レンズ群Ｇ４のパワーが強くなりすぎて、変倍時の球面収差の変動が大きくなってしまう。
条件式（８）の下限を超えると、第２レンズ群Ｇ２のパワーが強くなりすぎて、長焦点距離端において球面収差が補正困難になってしまう。特に、無限遠物体から近距離物体へのフォーカシング時に球面収差がアンダーへと変化してしまう。
【実施例】
【００４５】
次に具体的な数値実施例１−５を示す。諸収差図及び横収差図並びに表中において、ｄ線、ｇ線、Ｃ線、Ｆ線、ｅ線はそれぞれの波長に対する収差、Ｓはサジタル、Ｍはメリディオナル、FNO.はＦナンバー、fは全系の焦点距離、Wは半画角（゜）、Yは像高、fBはバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、撮影距離、倍率、半画角、像高、バックフォーカス、レンズ全長、レンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４６】
［数値実施例１］
図１〜図９と表１〜表４は、本発明による変倍レンズ系の数値実施例１を示している。図１は短焦点距離端における無限遠物体合焦時のレンズ構成図、図２、図３は短焦点距離端における無限遠物体合焦時の諸収差図、横収差図、図４、図５は長焦点距離端における無限遠物体合焦時の諸収差図、横収差図、図６、図７は短焦点距離端における近距離物体合焦時の諸収差図、横収差図、図８、図９は長焦点距離端における近距離物体合焦時の諸収差図、横収差図である。表１は面データ、表２は各種データ、表３は非球面データ、表４はレンズ群データである。
【００４７】
本数値実施例１の変倍レンズ系は、物体側から順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成されている。第１レンズ群Ｇ１は、物体側から順に、負の屈折力の第１ａレンズ群Ｇ１ａと、負の屈折力の第１ｂレンズ群Ｇ１ｂとから構成されている。第２レンズ群Ｇ２と第３レンズ群Ｇ３の間（第３レンズ群Ｇ３の直前）には、光量調整用の開口絞りＳが位置しており、この開口絞りＳは、短焦点距離端から長焦点距離端への変倍に際し、第３レンズ群Ｇ３と一体に光軸方向に移動する（第３レンズ群Ｇ３が開口絞りＳを有している）。
【００４８】
第１レンズ群Ｇ１の第１ａレンズ群Ｇ１ａは、物体側に凸の負メニスカスレンズ（負単レンズ）１１からなる。
【００４９】
第１レンズ群Ｇ１の第１ｂレンズ群Ｇ１ｂは、物体側から順に、両凹負レンズ（負単レンズ）１２と、物体側に凸の正メニスカスレンズ（正単レンズ）１３とからなる。両凹負レンズ１２は、ガラスレンズの像側の面に合成樹脂材料による非球面層が接着形成されたハイブリッドレンズからなる。第１ｂレンズ群Ｇ１ｂ（両凹負レンズ１２と正メニスカスレンズ１３）は、無限遠物体から近距離物体へのフォーカシング時に物体側に移動する（繰り出される）フォーカスレンズ群である。
【００５０】
第２レンズ群Ｇ２は、物体側から順に、両凸正レンズ２１と、両凸正レンズ２２と、像側に凸の負メニスカスレンズ２３とからなる。両凸正レンズ２２と負メニスカスレンズ２３は接合されている。
【００５１】
第３レンズ群Ｇ３は、物体側から順に位置する像側に凸の正メニスカスレンズ３１と両凹負レンズ３２の接合レンズからなる。
【００５２】
第４レンズ群Ｇ４は、物体側から順に、像側に凸の正メニスカスレンズ４１と、両凸正レンズ４２と、像側に凸の負メニスカスレンズ４３とからなる。両凸正レンズ４２と負メニスカスレンズ４３は接合されている。
【００５３】
（表１）
面データ
面番号          R          d          N(d)        ν(d)
1            43.223      1.300      1.77250        49.6
2            18.811        d2
3          -634.917      1.200      1.61800        63.4
4            23.708      0.200      1.52972        42.7
5*           19.608      4.533
6            39.501      2.740      1.84666        23.8
7           107.683        d7
8            56.533      2.450      1.61800        63.4
9           -45.322      0.100
10           26.475      3.500      1.48749        70.2
11          -30.548      1.000      1.84666        23.8
12         -102.561       d12
13絞           ∞       1.500
14          -55.432      2.450      1.80518        25.4
15          -15.057      1.000      1.78800        47.4
16           43.032       d16
17         -197.263      3.120      1.61800        63.4
18          -21.220      0.100
19          164.346      4.910      1.51633        64.1
20          -14.910      1.000      1.80000        29.9
21          -49.777        -
＊は回転対称非球面である。
（表２）
各種データ
変倍比    2.63
無限遠物体合焦時
短焦点距離端          中間焦点距離          長焦点距離端
FNO.           3.98                  4.68                  5.76
f            18.500                32.620                48.600
撮影距離       無限                  無限                  無限
倍率          0.000                 0.000                 0.000
W              40.0                  24.3                  16.7
Y             14.70                 14.70                 14.70
fB            37.92                 47.21                 58.11
L            122.78                115.20                119.90
d2           11.669                11.669                11.669
d7           24.969                 8.096                 1.889
d12           2.611                 9.229                14.658
d16          14.510                 7.892                 2.463
近距離物体合焦時
短焦点距離端          中間焦点距離          長焦点距離端
FNO.           3.98                  4.69                  5.78
f            18.078                30.340                42.067
撮影距離        300                   300                   300
倍率         -0.094                -0.159                -0.243
W              39.2                  24.2                  16.8
Y             14.70                 14.70                 14.70
fB            37.92                 47.21                 58.11
L            122.78                115.20                119.90
d2            7.449                 7.614                 7.513
d7           29.189                12.151                 6.045
d12           2.611                 9.229                14.658
d16          14.510                 7.892                 2.463
（表３）
非球面データ
面番号   K          A4           A6           A8          A10
5      0.000  -0.3229E-04  -0.1936E-07  -0.9487E-10   0.4478E-13
（表４）
レンズ群データ
群          始面          焦点距離
1              1           -23.708
1a             1           -44.137
1b             3           -61.379
2              8            25.526
3             14           -31.083
4             17            37.696
【００５４】
［数値実施例２］
図１０〜図１８と表５〜表８は、本発明による変倍レンズ系の数値実施例２を示している。図１０は短焦点距離端における無限遠物体合焦時のレンズ構成図、図１１、図１２は短焦点距離端における無限遠物体合焦時の諸収差図、横収差図、図１３、図１４は長焦点距離端における無限遠物体合焦時の諸収差図、横収差図、図１５、図１６は短焦点距離端における近距離物体合焦時の諸収差図、横収差図、図１７、図１８は長焦点距離端における近距離物体合焦時の諸収差図、横収差図である。表５は面データ、表６は各種データ、表７は非球面データ、表８はレンズ群データである。
【００５５】
この数値実施例２のレンズ構成は、数値実施例１のレンズ構成と同様である。
【００５６】
（表５）
面データ
面番号          R          d          N(d)        ν(d)
1            38.725      1.300      1.80400        46.6
2            18.092        d2
3          -214.949      1.200      1.49700        81.6
4            21.137      0.200      1.52972        42.7
5*           17.037      3.345
6            32.376      2.740      1.80518        25.4
7            77.548        d7
8            66.235      2.577      1.61800        63.4
9           -48.844      0.100
10           25.020      3.560      1.48749        70.2
11          -29.288      1.000      1.84666        23.8
12          -82.658       d12
13絞           ∞       1.500
14          -63.274      1.995      1.80518        25.4
15          -16.891      1.000      1.78800        47.4
16           42.331       d16
17         -730.056      2.944      1.61800        63.4
18          -22.680      0.100
19          628.948      5.419      1.52249        59.8
20          -14.648      1.000      1.80000        29.9
21          -43.832        -
＊は回転対称非球面である。
（表６）
各種データ
変倍比    2.63
無限遠物体合焦時
短焦点距離端          中間焦点距離          長焦点距離端
FNO.           3.98                  4.60                  5.74
f            18.500                31.893                48.601
撮影距離       無限                  無限                  無限
倍率          0.000                 0.000                 0.000
W              39.8                  24.7                  16.7
Y             14.70                 14.70                 14.70
fB            37.91                 45.75                 57.43
L            122.00                114.42                119.70
d2           12.109                12.109                12.109
d7           24.316                 8.901                 2.502
d12           2.200                 9.540                15.481
d16          15.481                 8.141                 2.200
近距離物体合焦時
短焦点距離端          中間焦点距離          長焦点距離端
FNO.           3.99                  4.61                  5.76
f            18.057                29.720                42.027
撮影距離        300                   300                   300
倍率         -0.093                -0.155                -0.242
W              38.9                  24.7                  16.8
Y             14.70                 14.70                 14.70
fB            37.91                 45.75                 57.43
L            122.00                114.42                119.70
d2            8.003                 8.162                 8.052
d7           28.422                12.848                 6.559
d12           2.200                 9.540                15.481
d16          15.481                 8.141                 2.200
（表７）
非球面データ
面番号   K          A4           A6           A8          A10
5      0.000  -0.4022E-04  -0.3753E-07  -0.2039E-09  -0.2006E-12
（表８）
レンズ群データ
群          始面          焦点距離
1              1           -23.448
1a             1           -43.453
1b             3           -62.810
2              8            25.647
3             14           -32.581
4             17            37.671
【００５７】
［数値実施例３］
図１９〜図２７と表９〜表１２は、本発明による変倍レンズ系の数値実施例３を示している。図１９は短焦点距離端における無限遠物体合焦時のレンズ構成図、図２０、図２１は短焦点距離端における無限遠物体合焦時の諸収差図、横収差図、図２２、図２３は長焦点距離端における無限遠物体合焦時の諸収差図、横収差図、図２４、図２５は短焦点距離端における近距離物体合焦時の諸収差図、横収差図、図２６、図２７は長焦点距離端における近距離物体合焦時の諸収差図、横収差図である。表９は面データ、表１０は各種データ、表１１は非球面データ、表１２はレンズ群データである。
【００５８】
この数値実施例３のレンズ構成は、数値実施例１、２のレンズ構成と同様である。
【００５９】
（表９）
面データ
面番号          R          d          N(d)        ν(d)
1            33.619      1.300      1.88300        40.8
2            17.885        d2
3          -481.227      1.200      1.53775        74.7
4            21.159      0.200      1.52972        42.7
5*           17.059      4.208
6            32.895      2.740      1.84666        23.8
7            73.119        d7
8            74.053      2.450      1.61800        63.4
9           -43.887      0.100
10           25.126      3.500      1.48749        70.2
11          -31.087      1.000      1.84666        23.8
12          -90.809       d12
13絞           ∞       1.500
14          -60.109      2.450      1.80518        25.4
15          -17.061      1.000      1.78800        47.4
16           42.029       d16
17         -444.756      3.120      1.61800        63.4
18          -21.959      0.100
19          196.570      4.910      1.52249        59.8
20          -15.051      1.000      1.80000        29.9
21          -54.381        -
＊は回転対称非球面である。
（表１０）
各種データ
変倍比    2.63
無限遠物体合焦時
短焦点距離端          中間焦点距離          長焦点距離端
FNO.           3.98                  4.59                  5.76
f            18.500                31.027                48.600
撮影距離       無限                  無限                  無限
倍率          0.000                 0.000                 0.000
W              39.7                  25.4                  16.7
Y             14.70                 14.70                 14.70
fB            37.91                 46.51                 58.92
L            123.85                116.44                121.50
d2           12.162                12.162                12.162
d7           25.539                 9.540                 2.183
d12           2.415                 8.176                14.144
d16          15.041                 9.280                 3.312
近距離物体合焦時
短焦点距離端          中間焦点距離          長焦点距離端
FNO.           3.98                  4.60                  5.78
f            18.058                29.016                42.089
撮影距離        300                   300                   300
倍率         -0.094                -0.152                -0.244
W              38.8                  25.3                  16.8
Y             14.70                 14.70                 14.70
fB            37.91                 46.51                 58.92
L            123.85                116.44                121.50
d2            8.022                 8.180                 8.073
d7           29.679                13.521                 6.272
d12           2.415                 8.176                14.144
d16          15.041                 9.280                 3.312
（表１１）
非球面データ
面番号   K          A4           A6           A8          A10
5      0.000  -0.3952E-04  -0.1973E-07  -0.3979E-09   0.3893E-12
（表１２）
レンズ群データ
群          始面          焦点距離
1              1           -23.683
1a             1           -45.026
1b             3           -60.519
2              8            25.494
3             14           -31.656
4             17            38.446
【００６０】
［数値実施例４］
図２８〜図３６と表１３〜表１６は、本発明による変倍レンズ系の数値実施例４を示している。図２８は短焦点距離端における無限遠物体合焦時のレンズ構成図、図２９、図３０は短焦点距離端における無限遠物体合焦時の諸収差図、横収差図、図３１、図３２は長焦点距離端における無限遠物体合焦時の諸収差図、横収差図、図３３、図３４は短焦点距離端における近距離物体合焦時の諸収差図、横収差図、図３５、図３６は長焦点距離端における近距離物体合焦時の諸収差図、横収差図である。表１３は面データ、表１４は各種データ、表１５は非球面データ、表１６はレンズ群データである。
【００６１】
この数値実施例４のレンズ構成は、第１レンズ群Ｇ１（第１ｂレンズ群Ｇ１ｂ）の負レンズ１２が物体側に凸の負メニスカスレンズである点を除いて、数値実施例１−３のレンズ構成と同様である。
【００６２】
（表１３）
面データ
面番号          R          d          N(d)        ν(d)
1            33.320      1.300      1.88300        40.8
2            18.376        d2
3           325.394      1.200      1.53775        74.7
4            20.199      0.200      1.52972        42.7
5*           16.984      5.757
6            34.819      2.740      1.84666        23.8
7            68.504        d7
8            74.728      2.450      1.61800        63.4
9           -47.928      0.100
10           24.484      3.500      1.48749        70.2
11          -31.101      1.000      1.84666        23.8
12          -89.876       d12
13絞           ∞       1.500
14          -59.305      2.450      1.80518        25.4
15          -15.385      1.000      1.78800        47.4
16           40.318       d16
17         -394.357      3.120      1.61800        63.4
18          -20.925      0.100
19          147.237      4.910      1.52249        59.8
20          -14.727      1.000      1.80000        29.9
21          -64.974        -
＊は回転対称非球面である。
（表１４）
各種データ
変倍比    2.63
無限遠物体合焦時
短焦点距離端          中間焦点距離          長焦点距離端
FNO.           3.98                  4.59                  5.76
f            18.500                30.541                48.601
撮影距離       無限                  無限                  無限
倍率          0.000                 0.000                 0.000
W              39.3                  25.7                  16.7
Y             14.70                 14.70                 14.70
fB            37.91                 46.68                 59.58
L            126.74                117.84                121.91
d2           12.253                12.253                12.253
d7           27.948                10.279                 1.456
d12           2.454                 6.986                12.350
d16          13.845                 9.313                 3.949
近距離物体合焦時
短焦点距離端          中間焦点距離          長焦点距離端
FNO.           3.98                  4.60                  5.77
f            18.043                28.538                41.981
撮影距離        300                   300                   300
倍率         -0.095                -0.150                -0.243
W              38.2                  25.6                  16.9
Y             14.70                 14.70                 14.70
fB            37.91                 46.68                 59.58
L            126.74                117.84                121.91
d2            7.484                 7.705                 7.607
d7           32.717                14.827                 6.102
d12           2.454                 6.986                12.350
d16          13.845                 9.313                 3.949
（表１５）
非球面データ
面番号   K          A4           A6           A8          A10
5      0.000  -0.3696E-04  -0.5689E-07  -0.1297E-09  -0.4930E-12
（表１６）
レンズ群データ
群          始面          焦点距離
1              1           -25.278
1a             1           -48.377
1b             3           -62.326
2              8            25.924
3             14           -30.788
4             17            39.004
【００６３】
［数値実施例５］
図３７〜図４５と表１７〜表２０は、本発明による変倍レンズ系の数値実施例５を示している。図３７は短焦点距離端における無限遠物体合焦時のレンズ構成図、図３８、図３９は短焦点距離端における無限遠物体合焦時の諸収差図、横収差図、図４０、図４１は長焦点距離端における無限遠物体合焦時の諸収差図、横収差図、図４２、図４３は短焦点距離端における近距離物体合焦時の諸収差図、横収差図、図４４、図４５は長焦点距離端における近距離物体合焦時の諸収差図、横収差図である。表１７は面データ、表１８は各種データ、表１９は非球面データ、表２０はレンズ群データである。
【００６４】
この数値実施例５のレンズ構成は、数値実施例４のレンズ構成と同様である。
【００６５】
（表１７）
面データ
面番号          R          d          N(d)        ν(d)
1            45.162      1.300      1.69680        55.5
2            17.643        d2
3           383.678      1.200      1.69680        55.5
4            23.269      0.200      1.52972        42.7
5*           19.169      4.327
6            38.632      2.870      1.84666        23.8
7           124.555        d7
8            54.973      2.610      1.65830        57.3
9           -49.478      0.100
10           28.856      3.500      1.48749        70.2
11          -35.847      1.000      1.84666        23.8
12         -203.107       d12
13絞           ∞       1.500
14          -83.212      2.083      1.80518        25.4
15          -20.399      1.000      1.78590        44.2
16           55.096       d16
17          -75.677      3.227      1.61800        63.4
18          -23.389      0.100
19          238.912      4.615      1.51602        56.8
20          -14.766      1.000      1.80000        29.9
21          -38.166        -
＊は回転対称非球面である。
（表１８）
各種データ
変倍比    2.63
無限遠物体合焦時
短焦点距離端          中間焦点距離          長焦点距離端
FNO.           3.98                  4.50                  5.76
f            18.500                30.665                48.600
撮影距離       無限                  無限                  無限
倍率          0.000                 0.000                 0.000
W              40.0                  25.7                  16.7
Y             14.70                 14.70                 14.70
fB            37.91                 47.07                 62.65
L            124.70                117.42                124.88
d2           11.553                11.553                11.553
d7           26.374                 9.941                 1.821
d12           2.200                 9.274                16.029
d16          16.029                 8.955                 2.200
近距離物体合焦時
短焦点距離端          中間焦点距離          長焦点距離端
FNO.           3.98                  4.51                  5.78
f            18.112                28.812                42.348
撮影距離        300                   300                   300
倍率         -0.095                -0.152                -0.250
W              39.0                  25.6                  16.8
Y             14.70                 14.70                 14.70
fB            37.91                 47.07                 62.65
L            124.70                117.42                124.88
d2            7.212                 7.378                 7.207
d7           30.715                14.116                 6.167
d12           2.200                 9.274                16.029
d16          16.029                 8.955                 2.200
（表１９）
非球面データ
面番号   K          A4           A6           A8          A10
5      0.000  -0.3698E-04   0.2681E-08  -0.3561E-09   0.6536E-12
（表２０）
レンズ群データ
群          始面          焦点距離
1              1           -23.522
1a             1           -42.377
1b             3           -63.328
2              8            27.522
3             14           -43.079
4             17            44.463
【００６６】
各数値実施例の各条件式に対する値を表２１に示す。
（表２１）
実施例１      実施例２      実施例３
条件式（１）      0.72          0.69          0.74
条件式（２）      2.54          2.75          3.27
条件式（３）      39.6          56.2          50.9
条件式（４）      63.4          81.6          74.7
条件式（５）     -3.05         -2.87         -2.89
条件式（６）     -0.49         -0.52         -0.51
条件式（７）      0.76          0.72          0.75
条件式（８）      0.68          0.68          0.66
実施例４      実施例５
条件式（１）      0.77          0.67
条件式（２）      3.46          2.28
条件式（３）      50.9          31.7
条件式（４）      74.7          55.5
条件式（５）     -3.19         -2.77
条件式（６）     -0.48         -0.49
条件式（７）      0.82          0.55
条件式（８）      0.66          0.62
【００６７】
表２１から明らかなように、数値実施例１〜数値実施例５は、条件式（１）〜条件式（８）を満足している。また、諸収差図及び横収差図から明らかなように、諸収差及び横収差は比較的よく補正されており、特に、無限遠物体から近距離物体へのフォーカシング時の収差変動が抑えられている。
【００６８】
本発明の特許請求の範囲に含まれる変倍レンズ系に、実質的なパワーを有さないレンズまたはレンズ群を追加したとしても、本発明の技術的範囲に含まれる（本発明の技術的範囲を回避したことにはならない）。
【符号の説明】
【００６９】
Ｇ１  負の屈折力の第１レンズ群
Ｇ１ａ  負の屈折力の第１ａレンズ群
１１  負レンズ（負単レンズ）
Ｇ１ｂ  負の屈折力の第１ｂレンズ群
１２  負レンズ（負単レンズ）
１３  正レンズ（正単レンズ）
Ｇ２  正の屈折力の第２レンズ群
２１  正レンズ
２２  正レンズ
２３  負レンズ
Ｇ３  負の屈折力の第３レンズ群
３１  正レンズ
３２  負レンズ
Ｇ４  正の屈折力の第４レンズ群
４１  正レンズ
４２  正レンズ
４３  負レンズ
Ｓ  開口絞り
Ｉ  像面
【図１】
2016006455.tif 000003
【図２】
2016006455.tif 000004
【図３】
2016006455.tif 000005
【図４】
2016006455.tif 000006
【図５】
2016006455.tif 000007
【図６】
2016006455.tif 000008
【図７】
2016006455.tif 000009
【図８】
2016006455.tif 000010
【図９】
2016006455.tif 000011
【図１０】
2016006455.tif 000012
【図１１】
2016006455.tif 000013
【図１２】
2016006455.tif 000014
【図１３】
2016006455.tif 000015
【図１４】
2016006455.tif 000016
【図１５】
2016006455.tif 000017
【図１６】
2016006455.tif 000018
【図１７】
2016006455.tif 000019
【図１８】
2016006455.tif 000020
【図１９】
2016006455.tif 000021
【図２０】
2016006455.tif 000022
【図２１】
2016006455.tif 000023
【図２２】
2016006455.tif 000024
【図２３】
2016006455.tif 000025
【図２４】
2016006455.tif 000026
【図２５】
2016006455.tif 000027
【図２６】
2016006455.tif 000028
【図２７】
2016006455.tif 000029
【図２８】
2016006455.tif 000030
【図２９】
2016006455.tif 000031
【図３０】
2016006455.tif 000032
【図３１】
2016006455.tif 000033
【図３２】
2016006455.tif 000034
【図３３】
2016006455.tif 000035
【図３４】
2016006455.tif 000036
【図３５】
2016006455.tif 000037
【図３６】
2016006455.tif 000038
【図３７】
2016006455.tif 000039
【図３８】
2016006455.tif 000040
【図３９】
2016006455.tif 000041
【図４０】
2016006455.tif 000042
【図４１】
2016006455.tif 000043
【図４２】
2016006455.tif 000044
【図４３】
2016006455.tif 000045
【図４４】
2016006455.tif 000046
【図４５】
2016006455.tif 000047
【図４６】
2016006455.tif 000048